(57)【要約】【課題】紙折り機での折り方の指定方式を踏襲した折り筋指定方式、および紙折り機への紙折り指示方式を踏襲した折り筋指示方式を採用した場合と比べ、折り筋をユーザがイメージし易く、かつ、指定上の折り筋と用紙に形成される折り筋との間での折りの向きに関する混乱を抑えた折り筋指定方式および折り筋指示方式を採用する。【解決手段】複数の定型様式の中の１つのを指定するとともに折りの向きを基準としたときの用紙の第１面の向きを指定する第１の指定方式と、折り筋の位置および折りの向きを折り筋ごとに指定するとともに、印刷機本体から排出される用紙の第１面の向きを指定する第２の指定方式とを有し、第１の指定方式の場合には、折り筋機に、折りの向きが逆向きの折り筋の形成を指示し、第２の指定方式の場合には、折り筋機に、印刷機本体から排出される用紙の第１面の向き応じた、指定通りの向きあるいは逆向きに変更された折り筋の形成を指示する。【選択図】図１５
2018018188.tif 000002
【特許請求の範囲】
【請求項１】
用紙に対する折り筋の位置および該折り筋に対する山折りと谷折りとからなる折りの向きが予め定められた複数の定型様式の中から１つの定型様式を指定するとともに、指定した１つの定型様式に従った折りの向きを基準としたときの用紙の第１面の向きを指定する第１の指定方式と、用紙に対する折り筋の位置および折りの向きを折り筋ごとに指定するとともに、用紙に印字し該用紙の第１面を指示に応じた向きに向けて排出する印刷機本体から排出される用紙の、該印刷機本体からの排出時の第１面の向きを指定する第２の指定方式との中からいずれか一方の指定方式を選択して選択した指定方式により折り筋を指定する折り筋指定部と、
前記第１の指定方式による指定を受けた場合に、前記印刷機本体および該印刷機本体から排出された用紙の指示された位置に指示された向きの折り筋を形成する後処理機を備えた印刷装置によって、指定された１つの定型様式に従った折りの向きと用紙の第１面の向きとの関係が、該第１の指定方式によって指定された関係とは逆向きの関係となる折り筋が形成されるように、折り筋の位置および該折り筋の折りの向きを指示し、
前記第２の指定方式による指定を受けた場合に、第１面を該第２の指定方式による指定通りの向きに向けた用紙が前記印刷機本体から排出されるように用紙の第１面の向きを指示するとともに、該第２の指定方式による指定通りの位置に、排出時の用紙の第１面の向きに応じた、指定通りの向きあるいは指定とは逆向きの折り筋が前記後処理機により形成されるように、該後処理機が形成する折り筋の位置および該折り筋の折りの向きを指示する折り筋指示部とを有することを特徴とする折り筋指示装置。
【請求項２】
前記第１の指定方式による指定を受けて、指定された定型様式により折られた形状の立体画像であって、さらに、用紙の第１面を指定された向きに向けた立体画像を、表示画面上に表示し、前記第２の指定方式による指定を受けて、平面的な用紙画像上に折り筋の位置および折りの向きを示した平面画像を該表示画面上に表示する折り筋表示部をさらに備えたことを特徴とする請求項１に記載の折り筋指示装置。
【請求項３】
前記第２の指定方式がさらに、前記後処理機で形成される折り筋の折りの向きを前記印刷機本体から排出される用紙の第１面の向きに応じて切り替えることを禁止する切替禁止指定を行なうことが可能な指定方式であって、
前記折り筋指示部は、前記第２の指定方式による指定を受けるとともに該第２の指定方式による指定において前記切替禁止指定がなされた場合に、第１面を該第２の指定方式による指定通りの向きに向けた用紙が前記印刷機本体から排出されるように指示するとともに、排出時の用紙の第１面の向きに応じた指定通りの向き若しくは指定とは逆の向きの折り筋を前記後処理機に形成させることに代わり、該第２の指定方式による指定通りの位置に、排出時の用紙の第１面の向きにかかわらず指定通りの向きの折り筋が該後処理機により形成されるように、該後処理機が形成する折り筋の位置および該折り筋の折りの向きを指示することを特徴とする請求項１または２に記載の折り筋指示装置。
【請求項４】
用紙に対する折り筋の位置および折りの向きを指定するとともに、用紙に印字し該用紙の第１面を指示に応じた向きに向けて排出する印刷機本体から排出される用紙の、該印刷機本体からの排出時の第１面の向きを指定する折り筋指定部と、
前記折り筋指定部による指定を受けて、第１面を指定通りの向きに向けた用紙が前記印刷機本体から排出されるように用紙の第１面の向きを指示するとともに、前記印刷機本体から排出された用紙の指示された位置に指示された向きの折り筋を形成する後処理機によって、前記折り筋指定部よる指定通りの位置に、排出時の用紙の第１面の向きに応じた、指定通りの向きあるいは指定とは逆向きの折り筋が形成されるように、該後処理機が形成する折り筋の位置および該折り筋の折りの向きを指示する折り筋指示部とを有することを特徴とする折り筋指示装置。
【請求項５】
前記折り筋指定部がさらに、前記後処理機で形成される折り筋の折りの向きを前記印刷機本体から排出される用紙の第１面の向きに応じて切り替えることを禁止する切替禁止指定を行なうことが可能な折り筋指定部であって、
前記折り筋指示部は、前記折り筋指定部による指定において前記切替禁止指定がなされた場合に、第１面を指定通りの向きに向けた用紙が前記印刷機本体から排出されるように指示するとともに、排出時の用紙の第１面の向きに応じた指定通りの向き若しくは指定とは逆の向きの折り筋を前記後処理機に形成させることに代わり、排出時の用紙の第１面の向きにかかわらず指定通りの向きの折り筋が前記後処理機により形成されるように、該後処理機が形成する折り筋の位置および該折り筋の折りの向きを指示することを特徴とする請求項４に記載の折り筋指示装置。
【請求項６】
プログラムを実行する演算部を備えた装置内で実行され、該装置を、
用紙に対する折り筋の位置および該折り筋に対する山折りと谷折りとからなる折りの向きが予め定められた複数の定型様式の中から１つの定型様式を指定するとともに、指定した１つの定型様式に従った折りの向きを基準としたときの用紙の第１面の向きを指定する第１の指定方式と、用紙に対する折り筋の位置および折りの向きを折り筋ごとに指定するとともに、用紙に印字し該用紙の第１面を指示に応じた向きに向けて排出する印刷機本体から排出される用紙の、該印刷機本体からの排出時の第１面の向きを指定する第２の指定方式との中からいずれか一方の指定方式を選択して選択した指定方式により折り筋を指定する折り筋指定部と、
前記第１の指定方式による指定を受けた場合に、前記印刷機本体および該印刷機本体から排出された用紙の指示された位置に指示された向きの折り筋を形成する後処理機を備えた印刷装置によって、指定された１つの定型様式に従った折りの向きと用紙の第１面の向きとの関係が、該第１の指定方式によって指定された関係とは逆向きの関係となる折り筋が形成されるように、折り筋の位置および該折り筋の折りの向きを指示し、
前記第２の指定方式による指定を受けた場合に、第１面を該第２の指定方式による指定通りの向きに向けた用紙が前記印刷機本体から排出されるように用紙の第１面の向きを指示するとともに、該第２の指定方式による指定通りの位置に、排出時の用紙の第１面の向きに応じた、指定通りの向きあるいは指定とは逆向きの折り筋が前記後処理機により形成されるように、該後処理機が形成する折り筋の位置および該折り筋の折りの向きを指示する折り筋指示部とを有する折り筋指示装置として動作させることを特徴とする折り筋指示プログラム。
【請求項７】
プログラムを実行する演算部を備えた装置内で実行され、該装置を、
用紙に対する折り筋の位置および折りの向きを指定するとともに、用紙に印字し該用紙の第１面を指示に応じた向きに向けて排出する印刷機本体から排出される用紙の、該印刷機本体からの排出時の第１面の向きを指定する折り筋指定部と、
前記折り筋指定部による指定を受けて、第１面を指定通りの向きに向けた用紙が前記印刷機本体から排出されるように用紙の第１面の向きを指示するとともに、前記印刷機本体から排出された用紙の指示された位置に指示された向きの折り筋を形成する後処理機によって、指定通りの位置に、排出時の用紙の第１面の向きに応じた、指定通りの向きあるいは指定とは逆向きの折り筋が形成されるように、該後処理機が形成する折り筋の位置および該折り筋の折りの向きを指示する折り筋指示部とを有する折り筋指示装置として動作させることを特徴とする折り筋指示プログラム。
【請求項８】
用紙に印字し、該用紙の第１面を指示に応じた向きに向けて排出する印刷機本体と、該印刷機本体から排出された用紙の指示された位置に、山折りと谷折りとの中から指示された向きの折り筋を形成する後処理機とを備えた印刷装置、および、
用紙に対する折り筋の位置および該折り筋に対する折りの向きが予め定められた複数の定型様式の中から１つの定型様式を指定するとともに、指定した１つの定型様式に従った折りの向きを基準としたときの、用紙の第１面の向きを指定する第１の指定方式と、用紙に対する折り筋の位置および折りの向きを折り筋ごとに指定するとともに前記印刷機本体からの排出時の用紙の第１面の向きを指定する第２の指定方式との中からいずれか一方の指定方式を選択して選択した指定方式により折り筋を指定する折り筋指定部と、
前記第１の指定方式による指定を受けた場合に、前記印刷装置によって、指定された１つの定型様式に従った折りの向きと用紙の第１面の向きとの関係が、該第１の指定方式によって指定された関係とは逆向きの関係となる折り筋が形成されるように、折り筋の位置および該折り筋の折りの向きを指示し、
前記第２の指定方式による指定を受けた場合に、第１面を該第２の指定方式による指定通りの向きに向けた用紙が前記印刷機本体から排出されるように用紙の第１面の向きを指示するとともに、該第２の指定方式による指定通りの位置に、排出時の用紙の第１面の向きに応じた、指定通りの向きあるいは指定とは逆向きの折り筋が前記後処理機により形成されるように、該後処理機が形成する折り筋の位置および該折り筋の折りの向きを指示する折り筋指示部とを有する折り筋指示装置を備えたことを特徴とする印刷システム。
【請求項９】
用紙に印字し、該用紙の第１面を指示に応じた向きに向けて排出する印刷機本体と、該印刷機本体から排出された用紙の指示された位置に、山折りと谷折りとの中から指示された向きの折り筋を形成する後処理機とを備えた印刷装置、および、
用紙に対する折り筋の位置および折りの向きを指定するとともに、前記印刷機本体からの排出時の用紙の第１面の向きを指定する折り筋指定部と、
前記折り筋指定部による指定を受けて、第１面を指定通りの向きに向けた用紙が前記印刷機本体から排出されるように用紙の第１面の向きを指示するとともに、前記印刷機本体から排出された用紙の指示された位置に指示された向きの折り筋を形成する後処理機によって、指定通りの位置に、排出時の用紙の第１面の向きに応じた、指定通りの向きあるいは指定とは逆向きの折り筋が形成されるように、該後処理機が形成する折り筋の位置および該折り筋の折りの向きを指示する折り筋指示部とを有する折り筋指示装置を備えたことを特徴とする印刷システム。
【発明の詳細な説明】
【技術分野】
【０００１】
本発明は、折り筋指示装置、折り筋指示プログラム、および印刷システムに関する。
【背景技術】
【０００２】
印刷機で印字された用紙に後処理を施す後処理機が知られている。この後処理機として、従来、用紙を所定の形状に折りたたむ紙折り機が知られている。また、近年では、この後処理機の一種として、用紙を折りたたむのではなく、折りたたむ前段階としての折り筋を形成する折り筋機が登場してきている。用紙を折りたたむ紙折り機の場合、２つ折り、３つ折り、Ｚ折りなど、折り方に名前が付いた限られた折り方しか対応できないのに対し、折り筋機の場合は、その構造にもよるが、基本的には用紙の自由な位置に自由な本数の折り筋を形成することができる。
【０００３】
ここで、特許文献１には、折り筋機と紙折り機との双方を備え、紙折り機で折り処理を実行できない折り方が指定された場合は折り筋機による筋付け処理を実行することが提案されている。
【０００４】
また、特許文献２には、後処理を施す前に、後処理を施した後の結果をプレビュー表示し、ユーザに折りのイメージを認識させつつ、後処理の指定を行なわせることが提案されている。
【先行技術文献】
【特許文献】
【０００５】
【特許文献１】特開２０１５−０９２２０８号公報
【特許文献２】特開２０１０−１２８７１２号公報
【発明の概要】
【発明が解決しようとする課題】
【０００６】
上述の通り、紙折り機での用紙の折りたたみのパターンと比べ、折り筋を形成する位置や本数の自由度が高い折り筋機が存在する。このため、折り筋機による折り筋を形成するにあたり、用紙上の折り筋の位置や折りの向き（山折りと谷折り）をどのように指定させるかが問題となる。
【０００７】
用紙への折り筋の形成は、その折り筋を形成した用紙をユーザ等が折りたたむことを予定したものである。したがって、折り筋機での折り筋の形成の際も、紙折り機で用紙を折りたたむ際の従来の指定方式を採用することが考えられる。ところが、紙折り機で折りたたむことのできる折り方には２つ折り、３つ折り、Ｚ折り等の名前がついていて名前で折り方を指定でき、この指定方式がユーザにとってイメージしやすいのに対し、折り筋機の場合は、多様な折り筋については、折り方の名前が対応していない。
【０００８】
また、印刷物を折りたたんで冊子等を製本する製本業界では、山折りと谷折りとからなる折りの向きを逆にした折り筋を一旦形成してから、紙折りとしての本来の向きに折りたたむことが行われている。このため、指定された折り筋を、折り筋機で形成される折り筋に、どのように反映させるかという点についても問題となる。
【０００９】
本発明は、上記事情に鑑み、紙折り機での折り方の指定方式をそのまま踏襲して折り筋の形成が可能な全てのパターンにまで広げた折り筋指定方式、および紙折り機への紙折りの指示方式をそのまま踏襲した折り筋機への折り筋指示方式を採用した場合と比べ、折り筋をユーザがイメージし易く、かつ指定上の折り筋と用紙上に形成される折り筋との間での折りの向きに関する混乱を抑えた折り筋指定方式および折り筋指示方式を採用した折り筋指示装置、折り筋指示プログラム、および印刷システムを提供することを目的とする。
【課題を解決するための手段】
【００１０】
請求項１は、
用紙に対する折り筋の位置および該折り筋に対する山折りと谷折りとからなる折りの向きが予め定められた複数の定型様式の中から１つの定型様式を指定するとともに、指定した１つの定型様式に従った折りの向きを基準としたときの用紙の第１面の向きを指定する第１の指定方式と、用紙に対する折り筋の位置および折りの向きを折り筋ごとに指定するとともに、用紙に印字し該用紙の第１面を指示に応じた向きに向けて排出する印刷機本体から排出される用紙の、該印刷機本体からの排出時の第１面の向きを指定する第２の指定方式との中からいずれか一方の指定方式を選択して選択した指定方式により折り筋を指定する折り筋指定部と、
前記第１の指定方式による指定を受けた場合に、前記印刷機本体および該印刷機本体から排出された用紙の指示された位置に指示された向きの折り筋を形成する後処理機を備えた印刷装置によって、指定された１つの定型様式に従った折りの向きと用紙の第１面の向きとの関係が、該第１の指定方式によって指定された関係とは逆向きの関係となる折り筋が形成されるように、折り筋の位置および該折り筋の折りの向きを指示し、
前記第２の指定方式による指定を受けた場合に、第１面を該第２の指定方式による指定通りの向きに向けた用紙が前記印刷機本体から排出されるように用紙の第１面の向きを指示するとともに、該第２の指定方式による指定通りの位置に、排出時の用紙の第１面の向きに応じた、指定通りの向きあるいは指定とは逆向きの折り筋が前記後処理機により形成されるように、該後処理機が形成する折り筋の位置および該折り筋の折りの向きを指示する折り筋指示部とを有することを特徴とする折り筋指示装置である。
【００１１】
請求項２は、
前記第１の指定方式による指定を受けて、指定された定型様式により折られた形状の立体画像であって、さらに、用紙の第１面を指定された向きに向けた立体画像を、表示画面上に表示し、前記第２の指定方式による指定を受けて、平面的な用紙画像上に折り筋の位置および折りの向きを示した平面画像を該表示画面上に表示する折り筋表示部をさらに備えたことを特徴とする請求項１に記載の折り筋指示装置である。
【００１２】
請求項３は、
前記第２の指定方式がさらに、前記後処理機で形成される折り筋の折りの向きを前記印刷機本体から排出される用紙の第１面の向きに応じて切り替えることを禁止する切替禁止指定を行なうことが可能な指定方式であって、
前記折り筋指示部は、前記第２の指定方式による指定を受けるとともに該第２の指定方式による指定において前記切替禁止指定がなされた場合に、第１面を該第２の指定方式による指定通りの向きに向けた用紙が前記印刷機本体から排出されるように指示するとともに、排出時の用紙の第１面の向きに応じた指定通りの向き若しくは指定とは逆の向きの折り筋を前記後処理機に形成させることに代わり、該第２の指定方式による指定通りの位置に、排出時の用紙の第１面の向きにかかわらず指定通りの向きの折り筋が該後処理機により形成されるように、該後処理機が形成する折り筋の位置および該折り筋の折りの向きを指示することを特徴とする請求項１または２に記載の折り筋指示装置である。
【００１３】
請求項４は、
用紙に対する折り筋の位置および折りの向きを指定するとともに、用紙に印字し該用紙の第１面を指示に応じた向きに向けて排出する印刷機本体から排出される用紙の、該印刷機本体からの排出時の第１面の向きを指定する折り筋指定部と、
前記折り筋指定部による指定を受けて、第１面を指定通りの向きに向けた用紙が前記印刷機本体から排出されるように用紙の第１面の向きを指示するとともに、前記印刷機本体から排出された用紙の指示された位置に指示された向きの折り筋を形成する後処理機によって、前記折り筋指定部よる指定通りの位置に、排出時の用紙の第１面の向きに応じた、指定通りの向きあるいは指定とは逆向きの折り筋が形成されるように、該後処理機が形成する折り筋の位置および該折り筋の折りの向きを指示する折り筋指示部とを有することを特徴とする折り筋指示装置である。
【００１４】
請求項５は、
前記折り筋指定部がさらに、前記後処理機で形成される折り筋の折りの向きを前記印刷機本体から排出される用紙の第１面の向きに応じて切り替えることを禁止する切替禁止指定を行なうことが可能な折り筋指定部であって、
前記折り筋指示部は、前記折り筋指定部による指定において前記切替禁止指定がなされた場合に、第１面を指定通りの向きに向けた用紙が前記印刷機本体から排出されるように指示するとともに、排出時の用紙の第１面の向きに応じた指定通りの向き若しくは指定とは逆の向きの折り筋を前記後処理機に形成させることに代わり、排出時の用紙の第１面の向きにかかわらず指定通りの向きの折り筋が前記後処理機により形成されるように、該後処理機が形成する折り筋の位置および該折り筋の折りの向きを指示することを特徴とする請求項４に記載の折り筋指示装置である。
【００１５】
請求項６は、
プログラムを実行する演算部を備えた装置内で実行され、該装置を、
用紙に対する折り筋の位置および該折り筋に対する山折りと谷折りとからなる折りの向きが予め定められた複数の定型様式の中から１つの定型様式を指定するとともに、指定した１つの定型様式に従った折りの向きを基準としたときの用紙の第１面の向きを指定する第１の指定方式と、用紙に対する折り筋の位置および折りの向きを折り筋ごとに指定するとともに、用紙に印字し該用紙の第１面を指示に応じた向きに向けて排出する印刷機本体から排出される用紙の、該印刷機本体からの排出時の第１面の向きを指定する第２の指定方式との中からいずれか一方の指定方式を選択して選択した指定方式により折り筋を指定する折り筋指定部と、
前記第１の指定方式による指定を受けた場合に、前記印刷機本体および該印刷機本体から排出された用紙の指示された位置に指示された向きの折り筋を形成する後処理機を備えた印刷装置によって、指定された１つの定型様式に従った折りの向きと用紙の第１面の向きとの関係が、該第１の指定方式によって指定された関係とは逆向きの関係となる折り筋が形成されるように、折り筋の位置および該折り筋の折りの向きを指示し、
前記第２の指定方式による指定を受けた場合に、第１面を該第２の指定方式による指定通りの向きに向けた用紙が前記印刷機本体から排出されるように用紙の第１面の向きを指示するとともに、該第２の指定方式による指定通りの位置に、排出時の用紙の第１面の向きに応じた、指定通りの向きあるいは指定とは逆向きの折り筋が前記後処理機により形成されるように、該後処理機が形成する折り筋の位置および該折り筋の折りの向きを指示する折り筋指示部とを有する折り筋指示装置として動作させることを特徴とする折り筋指示プログラムである。
【００１６】
請求項７は、
プログラムを実行する演算部を備えた装置内で実行され、該装置を、
用紙に対する折り筋の位置および折りの向きを指定するとともに、用紙に印字し該用紙の第１面を指示に応じた向きに向けて排出する印刷機本体から排出される用紙の、該印刷機本体からの排出時の第１面の向きを指定する折り筋指定部と、
前記折り筋指定部による指定を受けて、第１面を指定通りの向きに向けた用紙が前記印刷機本体から排出されるように用紙の第１面の向きを指示するとともに、前記印刷機本体から排出された用紙の指示された位置に指示された向きの折り筋を形成する後処理機によって、指定通りの位置に、排出時の用紙の第１面の向きに応じた、指定通りの向きあるいは指定とは逆向きの折り筋が形成されるように、該後処理機が形成する折り筋の位置および該折り筋の折りの向きを指示する折り筋指示部とを有する折り筋指示装置として動作させることを特徴とする折り筋指示プログラムである。
【００１７】
請求項８は、
用紙に印字し、該用紙の第１面を指示に応じた向きに向けて排出する印刷機本体と、該印刷機本体から排出された用紙の指示された位置に、山折りと谷折りとの中から指示された向きの折り筋を形成する後処理機とを備えた印刷装置、および、
用紙に対する折り筋の位置および該折り筋に対する折りの向きが予め定められた複数の定型様式の中から１つの定型様式を指定するとともに、指定した１つの定型様式に従った折りの向きを基準としたときの、用紙の第１面の向きを指定する第１の指定方式と、用紙に対する折り筋の位置および折りの向きを折り筋ごとに指定するとともに前記印刷機本体からの排出時の用紙の第１面の向きを指定する第２の指定方式との中からいずれか一方の指定方式を選択して選択した指定方式により折り筋を指定する折り筋指定部と、
前記第１の指定方式による指定を受けた場合に、前記印刷装置によって、指定された１つの定型様式に従った折りの向きと用紙の第１面の向きとの関係が、該第１の指定方式によって指定された関係とは逆向きの関係となる折り筋が形成されるように、折り筋の位置および該折り筋の折りの向きを指示し、
前記第２の指定方式による指定を受けた場合に、第１面を該第２の指定方式による指定通りの向きに向けた用紙が前記印刷機本体から排出されるように用紙の第１面の向きを指示するとともに、該第２の指定方式による指定通りの位置に、排出時の用紙の第１面の向きに応じた、指定通りの向きあるいは指定とは逆向きの折り筋が前記後処理機により形成されるように、該後処理機が形成する折り筋の位置および該折り筋の折りの向きを指示する折り筋指示部とを有する折り筋指示装置を備えたことを特徴とする印刷システムである。
【００１８】
請求項９は、
用紙に印字し、該用紙の第１面を指示に応じた向きに向けて排出する印刷機本体と、該印刷機本体から排出された用紙の指示された位置に、山折りと谷折りとの中から指示された向きの折り筋を形成する後処理機とを備えた印刷装置、および、
用紙に対する折り筋の位置および折りの向きを指定するとともに、前記印刷機本体からの排出時の用紙の第１面の向きを指定する折り筋指定部と、
前記折り筋指定部による指定を受けて、第１面を指定通りの向きに向けた用紙が前記印刷機本体から排出されるように用紙の第１面の向きを指示するとともに、前記印刷機本体から排出された用紙の指示された位置に指示された向きの折り筋を形成する後処理機によって、指定通りの位置に、排出時の用紙の第１面の向きに応じた、指定通りの向きあるいは指定とは逆向きの折り筋が形成されるように、該後処理機が形成する折り筋の位置および該折り筋の折りの向きを指示する折り筋指示部とを有する折り筋指示装置を備えたことを特徴とする印刷システムである。
【発明の効果】
【００１９】
上記の第１の指定方式の場合、ユーザは、折りたたんだ後の完成品をイメージしている。このため、折り筋形成の段階では、その完成品の折りの向きとは逆向きの折り筋が形成されることが望ましい。一方、第２の指定方式では、折り筋１本１本についてその位置や折り筋の折りの向きが指定される。また、この第２の指定方式では、印刷機本体からの用紙の排出時の向きが指定されるが、この折り筋の位置や折り筋の折りの向きを指定通りに用紙上に形成すると、印刷機本体からの排出時の用紙の向きを変更した場合に、１本１本指定した折り筋の折りの向きを変更しない限り、用紙上の折り筋の折りの向きに対する用紙の第１面の向きが逆向きとなる。そこで、これが逆向きとならないように、印刷機本体からの排出時の用紙の向きに応じて折り筋の折りの向きを調整することが望ましい。
【００２０】
また、本発明は、上記の第１の指定方式の有無とは無関係な態様からなる技術思想としても成立する。
【００２１】
このように、請求項１および請求項４の折り筋指示装置、請求項６および請求項７の折り筋指示プログラム、並びに、請求項８および請求項９の印刷システムによれば、紙折り機での折り方の指定方式をそのまま踏襲して、その方式を折り筋の形成が可能な全てのパターンにまで広げた折り筋指定方式、および紙折り機への紙折りの指示方式をそのまま踏襲した折り筋指示方式を採用した場合と比べ、折り筋をユーザがイメージし易くかつ指定上の折り筋と用紙上に形成される折り筋との混乱を抑えた折り筋指定方式および折り筋指示方式が実現する。
【００２２】
また、請求項２の折り筋指示装置によれば、第１の指定方式および第２の指定方式それぞれに応じた画像を表示することで、立体画像あるいは平面画像のいずれか一方に統一した表示を行う場合と比べ、指定方式ごとにイメージし易い表示となる。
【００２３】
ここで、第２の指定方式の場合、印刷機本体から排出される用紙の第１面の向きを念頭に置きながら、折り筋の位置と折り筋の段階での折りの向きをイメージするユーザが存在する。このようにイメージするユーザは、折り筋が第２の指定方式によって指定された場合は、その指定された向きの折り筋が用紙上に忠実に形成されることを期待することになる。請求項３および請求項５の折り筋指示装置によれば、印刷機本体からの排出時の用紙の向きに応じての折り筋の折りの向きの切替えを禁止できない場合と比べ、幅広いユーザに対し使い勝手の良い装置が実現する。
【図面の簡単な説明】
【００２４】
【図１】印刷システムの一例を示した模式図である。
【図２】クライアントＰＣで実行される処理を示すブロック図である。
【図３】クライアントＰＣの表示画面上に表示される立体画像の一例を示した図である。
【図４】クライアントＰＣの表示画面上に表示される平面画像の一例を示した図である。
【図５】クライアントＰＣの表示画面上に表示されるジョブ管理画面を示した図である。
【図６】クライアントＰＣの表示画面上に表示されたジョブプロパティ画面を示した図である。
【図７】図６に示す「紙折り」のプルダウンメニューを示した図である。
【図８】折り筋機による折り筋について設定した後に、紙折り機による紙折りについて設定しようとした場合における、紙折りのプルダウンメニューを示した図である。
【図９】小分類としての項目の１つである「折り目」を選択したときのジョブプロパティ画面を示した図である。
【図１０】「折り目をつける」が選択された場合に表示される折り目の指定画面を含むジョブプロパティ画面を示した図である。
【図１１】「折り目の種類」のプルダウンメニューを示した図である
【図１２】「折り目の種類」として「カスタム」を選択した場合のジョブプロパティ画面を示した図である。
【図１３】「うら面排出」を指定したときの用紙の第１面の向きと折り筋の折りの向きとの関係（Ａ）、および、「おもて面排出」を指定したときの用紙の第１面の向きと折り筋の折りの向きとの関係（Ｂ）を示した模式図である。
【図１４】図１２に示す「カスタム」における折り筋設定時の折り筋（Ａ）と、ジョブに組み込まれた折り筋の設定情報（Ｂ）を示した模式図である。
【図１５】これまで説明してきた第１実施形態としての処理を実現するフローチャートを示した図である。
【図１６】第２実施形態における「カスタム」による折り筋指定画面を含むジョブプロパティ画面を示した図である。
【図１７】図１６に示す「折り目時自動反転」で「しない」を指定したときの動作を示した図である。
【図１８】第２実施形態としての処理を実現するフローチャートを示した図である。
【発明を実施するための形態】
【００２５】
以下、本発明の実施の形態について説明する。
【００２６】
図１は、印刷システムの一例を示した模式図である。
【００２７】
この印刷システム１００は、複数台のクライアントコンピュータ（以下、「クライアントＰＣ」と略記する）１０、サーバ２０、および印刷装置３０を備えている。それら複数台のクライアントＰＣ１０、サーバ２０、および印刷装置３０は、ＬＡＮ（Ｌｏｃａｌ  Ａｒｅａ  Ｎｅｔｗｏｒｋ）４０を介して互いに通信可能に設定されている。
【００２８】
印刷装置３０は、印刷機本体３１と後処理機３２とを備えている。印刷機本体３１は、受信した画像データに応じた画像を用紙上に印字する。この印刷機本体３１は、用紙の第１面（印字面）を指示に応じた向き（上向きあるいは下向き）にして排出する。用紙の両面に印字した場合は、ページ番号の若い方の印字面が第１面となる。また、後処理機３２は、折り筋機３２１と紙折り機３２２とを備えている。折り筋機３２１は、印刷機本体３１で印字されてその印刷機本体３１から排出されてきた用紙に折り筋を形成する。また、紙折り機３２２は、印刷機本体３１で印字されてその印刷機本体３１から排出されてきた用紙を折りたたむ。またこの紙折り機３２２は、紙を折りたたむ機能だけではなく、ホチキスどめやパンチ穴開けの機能も備えている。この紙折り機３２２では、二つ折り、三つ折り、Ｚ折りといった、折り方に名前が付けられている単純ないくつかの種類の紙折りが可能である。本実施形態の印刷装置３０では、折り筋機３２１による折り筋の形成と紙折り機３２２による紙折りとを併用することも可能であるが、折り筋の形成との併用が可能な紙折は、本実施形態では二つ折りのみに限られている。これに対し、本実施形態における折り筋機３２１は、用紙上の１ｍｍ単位の任意の位置に、山折りの折り筋と谷折りの折り筋とを任意に混在させて最大５本までの折り筋を形成することができる。紙折り機３２２は、一部の紙折りパターンにしか対応していないため、折り筋機３２１で折り筋が形成された用紙は、基本的には、紙折り機３２２を素通りして排出される。排出された、折り筋が形成された用紙は、例えばユーザの手により、その用紙に形成されている折り筋の折りの向きとは逆向きに、すなわち、山折りの折り筋は谷折りに、谷折りの折り筋は山折りに、折りたたまれる。
【００２９】
各クライアントＰＣ１０では、用紙上に印字するための画像データが作成される。印刷装置３０での印刷にあたっては、画像データを作成するだけではなく、印刷や後処理に関する様々な設定がなされる。ここでは、画像データに加え、さらに印刷装置３０での印刷や後処理のための様々な設定を含むひと組のデータを「ジョブ」と称する。各クライアントＰＣ１０は、ジョブの作成が完成すると、印刷および後処理のために、そのジョブを送信する。
【００３０】
サーバ２０は、各クライアントＰＣ１０から送信されてきたジョブを一旦格納し、印刷装置３０に向けて順次に送信する。なお、このサーバ２０の機能は、印刷装置３０に内蔵されていてもよい。
【００３１】
各クライアントＰＣ１０では、本発明の折り筋指示プログラムの一実施形態としての折り筋指示プログラムが実行される。そして、各クライアントＰＣ１０は、その折り筋指示プログラムの実行により、本発明の折り筋指示装置の一実施形態として動作する。
【００３２】
図２は、クライアントＰＣ１０で実行される処理を示すブロック図である。ここでは、この処理を実行する装置を、本発明に合わせて、折り筋指示装置２００と称する。
【００３３】
この折り筋指示装置２００は、折り筋指定部２１０と、折り筋表示部２２０と、印刷指示部２３０とで構成されている。折り筋指定部２１０および折り筋表示部２２０は、本発明にいう、それぞれ、折り筋指定部および折り筋表示部の各一例に相当する。また、印刷指示部２３０には、本発明にいう折り筋指示部の一例が含まれている。
【００３４】
具体例の説明は後回しにして、ここでは、本発明の第１実施形態の折り筋指示装置２００における各部２１０〜２３０の機能について概括的に説明する。
【００３５】
折り筋指定部２１０では、第１の指定方式と第２の指定方式とのうちのいずれか一方がユーザによって選択され、その選択された指定方式により折り筋が指定される。ここで、第１の指定方式は、用紙に対する各折り筋の位置および各折り筋に対する折りの向き（山折りあるいは谷折り）が予め定められた複数の定型様式の中から１つの定型様式を指定する指定方式である。また、この第１の指定方式では、指定した１つの定型様式に従った折の向きを基準としたときの用紙の第１面の向きも指定される。一方、第２の指定方式は、折り筋の位置および折りの向きを折り筋ごとに指定する指定方式である。この第２の指定方式では、印刷機本体３１から排出される用紙の第１面の向きも指定される。
【００３６】
また、折り筋表示部２２０では、クライアントＰＣ１０の表示画面上に、第１の指定方式と第２の指定方式とに応じた画像が表示される。ここで、第１の指定方式が選択された場合には、その第１の指定方式により指定された定型様式により折られた形状を表わす立体画像であって、しかも、用紙の第１面を指定された向きに向けた立体画像が表示される。一方、第２の指定方式が選択された場合には、平面的な用紙画像上に各折り筋の位置および各折り筋ごとの折りの向きを示した平面画像が表示される。
【００３７】
また、印刷指示部２３０は、完成したジョブを、ユーザ操作に応じて、サーバ２０経由で印刷装置３０に送信する。この完成したジョブ内には、折り筋に関する指示も含まれている。したがって、この印刷指示部２３がジョブを送信するということは、折り筋に関する指示も送信していることになる。本実施形態における折り筋に関する指示は、以下の通りである。すなわち、第１の指定方式による指定を受けてクライアントＰＣ１０の表示画面上に上記の立体画像が表示された場合には、用紙の第１面の向きと第１の指定方式によって指定された１つの定型様式に従った折りの向きとの関係が、その立体画像上の用紙の第１面の向きとその立体画像上の折りの向きとの関係とは逆向きの関係となる折り筋が形成されるように、折り筋の位置および折り筋の折りの向きが指示される。一方、第２の指定方式による指定を受けてクライアントＰＣ１０の表示画面上に上記の平面画像が表示された場合、折り筋の位置に関しては、その平面画像に示されている折り筋の位置に対応する用紙上の位置であって、折り筋の折りの向きに関しては、印刷機本体３１から排出される用紙の第１面の向きに応じて、その平面画像に示されている折り筋の折りの向きと一致した向き、あるいはその逆向きの折り筋が形成されるように、折り筋に関する指示がなされる。
【００３８】
図３は、クライアントＰＣの表示画面上に表示される立体画像の一例を示した図である。この図３には、「二つ折り」の「内側印字」の用紙が立体的に示されている。この「二つ折り」は、折り方が予め定められている複数の定型様式のうちの１つである。上記の第１の指定方式を選択して、定型様式の１つと「内側印字」あるいは「外側印字」のいずれかを指定すると、クライアントＰＣ１０の表示画面上には、この図３に例示するような立体画像が表示される。
【００３９】
クライアントＰＣ１０内には、複数の定型様式の１つ１つについて立体画像のパターンが記憶されていて、それらのパターンの中から、指定された定型様式および指定された「内側印字」あるいは「外側印字」に応じたパターン（立体画像）が表示される。
【００４０】
図４は、クライアントＰＣの表示画面上に表示される平面画像の一例を示した図である。
【００４１】
上記の第２の指定方式を選択して折り筋を指定すると、クライアントＰＣの表示画面上に、この図４に示すような平面画像が表示される。この平面画像は、この表示画面上に一方の面のみを見せて平面的に広がった用紙の上に、各折り筋の位置および各折り筋の折りの向きが示された画像である。ここでは、基点からの距離（ｍｍ）と、山折り（ここでは一点鎖線）と谷折り（ここでは点線）との別が、折り筋１本１本について、本実施形態では最大５本まで、指定される。この図４に示す例では、３本の折り筋１，２，３が指定されている。
【００４２】
次に、本実施形態における、第１の指定方式および第２の指定方式による折り筋指定方法について具体的に説明する。
【００４３】
図５は、クライアントＰＣの表示画面上に表示されるジョブ管理画面を示した図である。
【００４４】
クライアントＰＣ１０では、印刷装置３０での印刷用の画像が作成されてジョブとして登録される。この図５に示すジョブ管理画面は、そのクライアントＰＣ１０内に登録されたジョブの一覧を示す画面である。ここに示す例では、ジョブＩＤ＝００１、ジョブ名ＡＢＣのジョブと、ジョブＩＤ＝００２、ジョブ名ＤＥＦのジョブとの２つのジョブが登録されていることが示されている。
【００４５】
ここでは、ユーザによって、このジョブ管理画面上に表示されたジョブの中から、今回各種の設定を行なおうとしている１つのジョブ（例えば、ジョブＩＤ＝００１のジョブ）が選択されて、そのジョブのプロパティ画面が開かれる。
【００４６】
図６は、クライアントＰＣの表示画面上に表示されたジョブプロパティ画面を示した図である。
【００４７】
このジョブプロパティ画面の上段側には、「簡易設定」、「お気に入り」、・・・、「画質」、「出力」、「現在の設定」など、様々な項目が並んでいる。ユーザは、必要に応じて、各項目を選んでその項目の詳細を設定する。ここで設定された内容は、今回選択したジョブに組み込まれる。本実施形態は、後処理に特徴があり、後処理の設定が含まれている「出力」を選択したものとする。すると、その同じジョブプロパティ画面の左側に、「出力」に関する中分類としての項目が表示される。ここには、中分類の項目として、「基本」、「排出」、「フィニッシング」、「サイズ混在原稿」、および「プリント位置／倍率」が示されている。「基本」は用紙サイズや１ページ当たりの印字枚数などを設定する項目であり、「排出」は、用紙排出トレイ（不図示）などを指定する項目である。ここでは、「フィニッシング」（後処理）が選択される。すると、「フィニッシング」に関する小分類としての項目である「ホチキス／パンチ／紙折り」、「折り目」、・・・が表示される。ここで、「ホチキス／パンチ／紙折り」は、紙折り機３２２に関する項目である。本実施形態の特徴は、紙折り機３２２ではなく、折り筋機３２１に関するものであるが、ここでは、参考のため、この紙折り機３２２に関する項目について簡単に説明しておく。小分類として並ぶ項目の中から「ホチキス／パンチ／紙折り」を選択すると、「ホチキス」、「パンチ」、「紙折り」の設定画面が表示される。「ホチキス」はホチキスどめの設定用であり、「パンチ」はパンチ穴開けの設定用である。また、「紙折り」は紙折りの設定用である。
【００４８】
図７は、図６に示す「紙折り」のプルダウンメニューを示した図である。
【００４９】
ここには、二つ折り、Ｚ折り、三つ折り等、紙折り機３２２で折ることができる複数の折り方の名前が並んでいる。また、このプルダウンメニューでは、折り方によっては、その折り方とともに、折りの向きと用紙の第１面（印字面）の向きとの関係が指定される。例えば、「二つ折り（内側に印字）」は、用紙の第１面を内側にして二つ折りにすることを意味している。
【００５０】
図８は、折り筋機による折り筋について設定した後に、紙折り機による紙折りについて設定しようとした場合における、紙折りのプルダウンメニューを示した図である。
【００５１】
折り筋を設定した場合は、紙折りは、「二つ折り」のみ設定可能となっている。
【００５２】
ジョブプロパティ画面に戻って説明を続ける。
【００５３】
図９は、小分類としての項目の１つである「折り目」を選択したときのジョブプロパティ画面を示した図である。
【００５４】
この図９には、折り目についての、展開された状態のプルダウンメニューが示されている。
【００５５】
ここでは、「折り目」について、「折り目をつけない」と「折り目をつける」のうちのいずれか一方が選択される。ここでは、「折り目をつける」が選択されたものとする。
【００５６】
図１０は、「折り目をつける」が選択された場合に表示される折り目の指定画面を含むジョブプロパティ画面を示した図である。
【００５７】
「折り目」として「折り目をつける」が選択されると、「折り目の種類」と「方向」の指定画面が現れる。
【００５８】
図１１は、「折り目の種類」のプルダウンメニューを示した図である。
【００５９】
ここには、図７に示した紙折りに関するプルダウンメニューにあらわれている折り方と同様な、二つ折り、内三つ折り、外三つ折り等の定型様式の折り方の名前が並んでいる。ただし、ここでは、紙折りの場合と異なり、折り方のみが示されている。用紙の第１面（印字面）を折り筋の折りの向きの内側にするか外側にするかは、図１０に示す「方向」により設定される。また、図１１に示すプルダウンメニューには、「カスタム」の項目が存在する。この「カスタム」以外の項目は、定型様式の折り方の名前である。
【００６０】
ここで、図１０に示すように、「折り目の種類」として「二つ折り」が指定され、「方向」として「内側印字」が指定されると、そのクライアントＰＣ１０の表示画面上に、図３に示した立体画像が表示される。
【００６１】
「カスタム」以外の項目からなる定型様式の中から「二つ折り」以外の折り方を選択すると、表示画面上に表示される立体画像は、その選択された折り方に応じた立体画像となり、「方向」を「外側印字」に変更すると、選択されている「折り目の種類」に応じるとともに「外側印字」に応じた立体画像となる。
【００６２】
この図１１に示す「折り目の種類」において「カスタム」以外の項目を選択したときの折り筋の指定方式が、本発明にいう第１の指定方式の一例に相当する。
【００６３】
次に、「折り目の種類」として「カスタム」を選択した場合について説明する。
【００６４】
図１２は、「折り目の種類」として「カスタム」を選択した場合のジョブプロパティ画面を示した図である。
【００６５】
ここでは、折り筋の「本数」が設定される。本実施形態では、この「本数」として、１〜５の中の任意の値が設定される。この「本数」を設定すると、その本数の折り筋の１本１本についての「折り方」と「基点からの距離」の設定画面が表示される。この図１２に示す例では、折り筋の「本数」として２本が設定されたことにより、Ｎｏ．１とＮｏ．２の２本の折り筋についての、「折り方」と「基点からの距離」の設定画面が表示されている。そして、ここに示す例では、Ｎｏ．１の折り筋については、「折り方」として「山折り」が指定され「基点からの距離」として「１２３．４５（ｍｍ）」が設定されている。また、Ｎｏ．２の折り筋については、「折り方」として「谷折り」が指定され「基点からの距離」として「１５４．３２（ｍｍ）」が設定されている。
【００６６】
また、この「カスタム」の折り筋指定画面上では、「排出面」が指定される。この「排出面」では、印刷機本体３１から用紙の第１面（おもて面）を上に向けて排出する「おもて面排出」か、あるいは用紙の第２面を上に向けて排出する「うら面排出」かが指定される。
【００６７】
図４に示す平面画像上にあらわれている用紙の面は、その用紙の排出時の上向きの面である。したがって、図１２における「排出面」の指定は、図４に示す平面画像上にあらわれている用紙の面が第１面（おもて面）であるか第２面（うら面）であるかの指定と同義である。
【００６８】
この、図１２に示す、「カスタム」を選択したときの折り筋の指定方式は、本発明にいう第２の指定方式の一例に相当する。
【００６９】
このようにして指定した折り筋に関する情報は、図５に示すジョブ管理画面上で選択したジョブに組み込まれる。そして、図２に示す印刷指示部２３０が印刷を指示する際にジョブが送信され、このジョブの送信により、そのジョブに組み込まれている折り筋に関する情報も一緒に送信される。
【００７０】
ここで、第１の指定方式により折り筋を指定したときは、ジョブに対応付けられる折り筋の折りの向きは、図３に例示した立体画像上にあらわれている紙折りの向きとは逆向きである。これは、図３に例示した立体画像は、その折り筋を形成した後にユーザ等により行われる紙折りの後の完成品のイメージを表わしている画像であって、折り筋の段階での折りの向きは、完成品としての紙折りの向きとは逆向きだからである。
【００７１】
したがって、第１の指定方式により折り筋を指定したジョブが送信されると、折り筋機３２１では、図３に例示されている立体画像上の紙折りとは折りの向きが逆の折り筋が形成される。
【００７２】
これに対し、図１２に示した第２の指定方式により折り筋を指定したときは、折り筋の折りの向き（山折りあるいは谷折り）に関しジョブに対応付けられる折りの向きは、「排出面」が「おもて面」であるか「うら面」であるかによって異なる。具体的には、本実施形態では、「排出面」が「おもて面」のときは、ジョブに対応付けられる折りの向きは、その第２の指定方式により指定された折りの向きとは逆向きの情報である。これに対し、「排出面」が「うら面」のときは、その第２の指定方式により指定された通りの向きの情報がジョブに対応付けられる。したがって、第２の指定方式により折り筋を指定したときは、折り筋機３２１では、図４に示す平面画像上に示されている折り筋の位置に対応する用紙上の位置に、「排出面」の指定が「おもて面」であるか「うら面」であるかに応じて、平面画像上に示されている折り筋の折りの向きとは逆向きの折り筋、あるいは、平面画像上に示されている折り筋の折りの向きと一致した向きの折り筋が形成される。
【００７３】
図１３は、図１２に示す「排出面」のプルダウンメニューにおいて「うら面排出」を指定したときの用紙の第１面の向きと折り筋の折りの向きとの関係（Ａ）、および、「おもて面排出」を指定したときの用紙の第１面の向きと折り筋の折りの向きとの関係（Ｂ）を示した模式図である。ここでは、分かり易さのため、折り筋を紙折りのように折った形状で示してある。
【００７４】
図１３（Ａ）に示すように、「うら面排出」の場合は、用紙Ｐの第１面（印字面）Ｐ１は、下向きとなっている。一方、「おもて面排出」の場合は、図１３（Ｂ）に示すように、用紙Ｐの第１面（印字面）Ｐ１は、上向きとなっている。ここで、仮に、「うら面排出」であっても「おもて面排出」であっても、折り筋の折りの向きに関しては、いずれも同じ向きであるとする。その場合、用紙の第１面（印字面）を基準として考えたとき、「うら面排出」の用紙を裏返しして第１面（印字面）を上に向けて「おもて面排出」の用紙と比べると、「うら面排出」の用紙と「おもて面排出」の用紙とでは、折り筋の折りの向きが逆向きとなる。このため、本実施形態では、「排出面」が「うら面」の場合は、図１３（Ａ）に示すように平面画像で指定した通りの向きの折り筋を形成し、「排出面」が「おもて面」の場合は、図１３（Ｂ）に示すように平面画像で指定した向きとは逆向きの折り筋を形成することとしている。こうすることにより、図１３（Ａ）の用紙を裏返しにすると、用紙Ｐの第１面Ｐ１を基準にしたときの折り筋の折りの向きは、図１３（Ａ）の「うら面排出」と図１３（Ｂ）の「おもて面排出」とで同一となる。
【００７５】
図１４は、図１２に示す「カスタム」における折り筋設定時の折り筋（Ａ）と、ジョブに組み込まれた折り筋の設定情報（Ｂ）を示した模式図である。
【００７６】
図１４（Ａ）に示すように、折り筋の設定時には、用紙の左端を基点として、各折り筋の基点からの距離と山折り／谷折りの別が指定される。
【００７７】
ところが、実際の用紙の搬送方向は、図１３（Ｂ）に示す矢印Ｘの向きである。すなわち、用紙の右端が先端となって搬送される。そして、折り筋機３２１では、用紙の進行につれて、進行方向前端側（図１４（Ｂ）の右側）の折り筋から順に形成される。このため、設定時には図１４（Ａ）に示すように左端を基点とした各折り筋の位置が、その折り筋情報をジョブに組み込む段階では、用紙の右端を基点とした各位置に読み替えられた上で、組み込まれる。これにより、印刷装置３０では、折り筋形成の動作に都合のよい情報を受け取ることができる。
【００７８】
図１５は、これまで説明してきた第１実施形態としての処理を実現するフローチャートを示した図である。
【００７９】
図１に示すクライアントＰＣ１０では、この図１５に示す処理を実行する折り筋指示プログラムが実行され、その折り筋指示プログラムの実行により、そのクライアントＰＣ１０が、本発明の第１実施形態の折り筋指示装置として動作する。
【００８０】
ここでは先ず、上述したようにして指定された折り筋に関する情報を取得し（ステップＳ１０１）、定型様式による指定（第１の指定方式による指定）であるか、「カスタム」による指定（第２の指定方式による指定）であるかが判定される（ステップＳ１０２）。そして、定型様式による指定（第１の指定方式による指定）のときは、図３に例示したような、その指定に応じた立体画像が表示され（ステップＳ１０３）、さらに、折り筋の折りの向きが反転されてジョブに登録される（ステップＳ１０４）。一方、「カスタム」によす指定（第２の指定方式による指定）のときは、図４に例示したような平面画像が表示されて、さらに「排出面」が「おもて面」であるか「うら面」であるかが判定される（ステップＳ１０６）。そして、「排出面」が「おもて面」のときは、指定された折り筋の位置については指定された通りに、ただし、折りの向きについては反転されて、ジョブに組み込まれる（ステップＳ１０４）。ただし、「排出面」が「おもて面」であるか「うら面」であるかにかかわらず、図１４を参照して説明した通り、各折り筋の位置の情報が読み替えられた上で、ジョブに組み込まれる。そしてプリント指示がなされると（ステップＳ１０７）、そのジョブが送信され（ステップＳ１０８）、そのジョブに組み込まれている折り筋の情報に従った折り筋が形成される。
【００８１】
次に、本発明の第２実施形態について説明する。なお、ここでは、これまで説明してきた第１実施形態との相違点のみを取り上げて説明する。
【００８２】
上述の第１実施形態では、印刷機本体３１からの排出時の用紙の向きを変更しても用紙の第１面の向きと折りの向きとの関係が変わらないように、排出時の用紙の向きに応じて折りの向きを反転させている。しかしながら、第２の指定方式の場合、印刷機本体から排出される用紙の第１面の向きを念頭に置きながら、折り筋の位置と折り筋の段階での折りの向きをイメージするユーザが存在する。このようにイメージするユーザは、折り筋が第２の指定方式によって指定した場合は、印刷機本体から排出される用紙の第１面の向きの如何にかかわらず、その指定した向きの折り筋が用紙上に忠実に形成されることを期待することになる。そこで、第２実施形態では、「排出面」を切り替えたときの折りの向きを禁止することができるようにしている。第２実施形態では、この禁止の措置を実現するために、「カスタム」による指定（第２の指定方式による指定）の場合に、図１２にも示されている「排出面」の指定に加え、さらに、「折り目自動反転」を指定させることとしている。すなわち、この第２実施形態では、「折り目自動反転」で「しない」を指定することによって、指定された用紙の向きにかかわらず表示画面上に用紙とともに表示されている折り筋の折りの向きと一致した向きの折り筋を形成される。一方、「折り目自動反転」を「する」に指定すると、前述の第１実施形態の場合と同様、指定された用紙の向きに応じて、表示画面上に用紙とともに表示されている折り筋の折りの向きと一致した向きの折り筋が形成され、あるいは、表示画面上に用紙とともに表示されている折り筋の折りの向きを逆にした向きの折り筋が形成される。
【００８３】
この第２実施形態の特徴について、具体例を挙げて説明する。
【００８４】
図１６は、第２実施形態における「カスタム」による折り筋指定画面を含むジョブプロパティ画面を示した図である。この図１６は、前述の第１実施形態における、図１２に対応する図である。
【００８５】
この図１６に示す「カスタム」による折り筋指定画面には、図１２にも示されている「排出面」の指定項目が存在し、さらに、図１２には存在していなかった「折り目自動反転」の項目が存在する。この「折り目自動反転」では、折り筋の折りの向きを自動反転させるか否かが指定される。この「折り目自動反転」による指定は、本発明にいう「切替禁止指定」の一例に相当する。
【００８６】
この「折り目自動反転」で「する」を指定すると、上述の第１実施形態と同じ動作となる。
【００８７】
図１７は、図１６に示す「折り目時自動反転」で「しない」を指定したときの動作を示した図である。
【００８８】
図１７（Ａ）は、「折り目自動反転」で「しない」を指定し、かつ「排出面」で「うら面排出」を指定した場合の、用紙の第１面（印字面）と折り筋の折りの向きとの関係を示している。この図１７（Ａ）は、図１３（Ａ）と同じである。
【００８９】
図１７（Ｂ）は、「折り目自動反転」で「しない」を指定し、かつ「排出面」で「おもて面排出」を指定した場合の、用紙の第１面（印字面）と折り筋の折りの向きとの関係を示している。この図１７（Ｂ）では、図１３（Ｂ）とは異なり、用紙Ｐの第１面Ｐ１の向きが変更されているにもかかわらず、折り筋の折りの向きは同一である。このように、「折り目自動反転」で「しない」を指定することによって、用紙の第１面の向きにかかわらず、あくまでもユーザの指示通りの向きの折り筋が形成される。これにより、用紙の第１面の向きを念頭において折り筋の向きを指定するユーザにとって、都合のよい指定方式が実現する。
【００９０】
図１８は、第２実施形態としての処理を実現するフローチャートを示した図である。
【００９１】
図１に示すクライアントＰＣ１０では、この図１８に示す処理を実行する折り筋指示プログラムが実行されると、その折り筋指示プログラムの実行により、そのクライアントＰＣ１０が、本発明の第２実施形態の折り筋指示装置として動作する。
【００９２】
この図１８に示す第２実施形態のフローチャートには、図１５に示した第１実施形態のフローチャートに対し、ステップＳ２０１が追加されている。
【００９３】
ここでは、「折り目自動反転」（図１６参照）が「する」に設定されているか否か（ステップＳ２０１）、および「排出面」が「おもて面」か「うら面」か（ステップＳ１０６）が判定される。
【００９４】
そして、「折り目自動反転」が「する」に設定されていて、かつ、「排出面」が「おもて面」であることが指定されていたときは、折りの向きを反転させた折り筋の情報がジョブに組み込まれる（ステップＳ１０４）。一方、「折り目自動反転」が「しない」に設定されているか、あるいは、「排出面」が「うら面」であることが指定されていたときは、折りの向きの反転は行わずに、ユーザによって指定された通りの向きの折り筋を形成する情報がジョブに組み込まれる。
【００９５】
なお、ここでは、図１に示す印刷システム１００に本発明を適用した例について説明したが、本発明は、紙折り機３２２が備えられておらず、折り筋機３２１のみからなる後処理機を備えた場合にも適用することができる。
【００９６】
また、ここでは、折り筋機として、用紙の一回の通過で山折りと谷折りとの双方の折りの向きの折り筋を形成することのできる折り筋機を例に挙げて説明したが、例えば山折りの機能のみを備えた折り筋機を備えるとともに、その折り筋機を１回通過した用紙を裏返しにしてその折り筋機をもう１回通過させる機構を備えることによって、山折りと谷折りとの双方の折り筋を実現する構成としてもよい。
【符号の説明】
【００９７】
１０    クライアントＰＣ
２０    サーバ
３０    印刷装置
３１    印刷機本体
３２    後処理機
３２１  折り筋機
３２２  紙折り機
４０    ＬＡＮ（Ｌｏｃａｌ  Ａｒｅａ  Ｎｅｔｗｏｒｋ）
１００  印刷システム
２００  折り筋指示装置
２１０  折り筋指定部
２２０  折り筋表示部
２３０  印刷指示部
【図１】
2018018188.tif 000003
【図２】
2018018188.tif 000004
【図３】
2018018188.tif 000005
【図４】
2018018188.tif 000006
【図５】
2018018188.tif 000007
【図６】
2018018188.tif 000008
【図７】
2018018188.tif 000009
【図８】
2018018188.tif 000010
【図９】
2018018188.tif 000011
【図１０】
2018018188.tif 000012
【図１１】
2018018188.tif 000013
【図１２】
2018018188.tif 000014
【図１３】
2018018188.tif 000015
【図１４】
2018018188.tif 000016
【図１５】
2018018188.tif 000017
【図１６】
2018018188.tif 000018
【図１７】
2018018188.tif 000019
【図１８】
2018018188.tif 000020